(57)【要約】【課題】写真撮影すべき被写体に対してカメラが傾いているときに、これを写真撮影者に的確に知らせることができるファインダを提供する。【解決手段】ファインダは、写真撮影すべき被写体に対してカメラが傾いているときに、これを写真撮影者に知らせる。ファインダは、前側及び後側の一対の開口部を備えている。両開口部は、該開口部を通して被写体が見えるように光学的に配列されている。ファインダは、後側開口部を通して見ることができる前側開口部のまわりに光輪を形成するのを可能にする、前側開口部を囲んでいる半透明要素も備えている。後側開口部は、前側開口部より十分に小さい寸法とされ、これによりカメラが上、下、右又は左に傾いているかどうかに応じて光輪の種々の部分を後側開口部を通して撮影者が見るのを妨げる。かくして、被写体に対してカメラが傾いているときに、これを撮影者に警告する。【選択図】図２
2004021266.tif 000002
【特許請求の範囲】
【請求項１】
写真撮影すべき被写体に対してカメラが傾いているときに、これを写真撮影者に知らせるファインダであって、
前側及び後側の一対の開口部であって、該開口部を通して被写体が見えるように光学的に配列されているものと、
上記後側開口部を通して見ることができる上記前側開口部のまわりに光輪を形成するのを可能にする、上記前側開口部を囲んでいる半透明要素とを備え、
上記後側開口部が上記前側開口部より十分に小さい寸法とされ、これによりカメラが上、下、右又は左に傾いているかどうかに応じて上記光輪の種々の部分を上記後側開口部を通して撮影者が見るのを妨げ、これにより被写体に対してカメラが傾いているときにこれを撮影者に警告するようになっていることを特徴とするファインダ。
【請求項２】
写真撮影すべき被写体に対してカメラが傾いているときに、これを写真撮影者に警告するための、写真撮影者への警告方法であって、
カメラが適切に被写体に向けられているときに、カメラの後側ファインダ開口部を通して見ることができるカメラの前側ファインダ開口部のまわりに光輪を形成することと、
被写体に対してカメラが上、下、右又は左に傾いているかどうかに応じて光輪の種々の部分を後側ファインダ開口部を通して撮影者が見るのを妨げることとを含んでいて、これにより被写体に対してカメラが不適切に傾いているときに、これを撮影者に警告するようになっていることを特徴とする写真撮影者への警告方法。
【請求項３】
写真撮影すべき被写体に対してカメラが傾いているときに、これを写真撮影者に知らせるファインダであって、
カメラが適切に被写体に向けられているときに、カメラの後側ファインダ開口部を通して見ることができるカメラの前側ファインダ開口部のまわりに光輪を形成する手段と、
被写体に対してカメラが上、下、右又は左に傾いているかどうかに応じて光輪の種々の部分を後側ファインダ開口部を通して撮影者が見るのを妨げる手段とを備えていて、これにより被写体に対してカメラが不適切に傾いているときにこれを撮影者に警告するようになっていることを特徴とするファインダ。
【発明の詳細な説明】
【０００１】
【発明の属する技術分野】
本発明は、一般的にはカメラのファインダ（ｖｉｅｗｆｉｎｄｅｒ）に関するものであり、とくに、写真撮影される被写体（ｓｕｂｊｅｃｔ）に対してカメラが不適切に傾いているときにこれを写真撮影者に知らせる照準補助手段（ａｉｍｉｎｇ　ａｉｄ）備えたファインダに関するものである。
【０００２】
【従来の技術】
全てのカメラは写真中に含まれることが意図されている被写体の領域を画成するための、すなわちフレーム構成を行うためのファインダを備えている。写真撮影される被写体に対してカメラが上、下、右又は左に不適切に傾いているときには、写真中に含まれることが意図されている被写体の領域の対応する縁部が削られてしまう。しかしながら、大半のファインダは、この問題を写真撮影者に警告することはできない。
【０００３】
この分野の一般的な従来技術を示している、１９９０年１月２日に発行された特許文献１及び１９９０年１月９日に発行された特許文献２は、写真撮影される被写体に対してカメラが不適切に傾いているときにこれを写真撮影者に知らせる照準補助手段を備えたファインダを設けることにより、この問題を解決するようにしたものを開示している。
【０００４】
【特許文献１】
米国特許第４，８９１，６５８号明細書
【特許文献２】
米国特許第４，８９３，１４１号明細書
【０００５】
【発明が解決しようとする課題】
これらの特許明細書においては、前側の照準リング又はターゲットリングが、カメラを被写体に向けるための前側フレーム開口部を画成している。前側フレーム開口部は、同様の形状の後側ののぞき窓開口部と、光学的に配列されている。撮影者は、写真中に含まれることが意図されている被写体の領域の周囲の照準リングを、フレーム構成するための後側ののぞき窓開口部を通して見ることにより被写体を見る。被写体に対してカメラが上、下、右又は左に不適切に傾いているときには、照準リングは、後側ののぞき窓開口部を通して撮影者が対応する領域の縁部を見るのを遮る。
しかし、これらの従来技術は、写真撮影される被写体に対してカメラが傾いているときに、これを写真撮影者に的確に知らせることはできない。
【０００６】
【課題を解決するための手段】
本発明の１つの態様にかかるファインダは、写真撮影される被写体に対してカメラが傾いているときに、これを写真撮影者に知らせる。このファインダは、２つの開口部を通して被写体が見えるように光学的に配列された前側及び後側の一対の開口部と、後側開口部を通して見ることができる前側開口部の周囲に光輪（ｈａｌｏ　ｏｆ　ｌｉｇｈｔ）を形成することを可能にする前側開口部を囲んでいる半透明要素（ｔｒａｎｓｌｕｃｅｎｔ　ｅｌｅｍｅｎｔ）とを備えている。ここで、後側開口部は前側開口部より十分に小さい寸法とされ、カメラが上、下、右又は左に傾いているかどうかに応じて光輪の種々の部分を後側開口部を通して撮影者が見るのを妨げ、これにより被写体に対してカメラが傾いているときにこれを撮影者に警告するようになっている。
【０００７】
本発明のもう１つの態様にかかる写真撮影者への警告方法は、写真撮影される被写体に対してカメラが傾いているときにこれを撮影者に知らせる。この方法は、カメラが被写体に適切に向けられているときにカメラの後側ファインダ開口部を通して見ることができるカメラの前側ファインダ開口部の周囲に光輪を形成すること（ステップ）と、被写体に対してカメラが上、下、右又は左に傾いているかどうかに応じて光輪の種々の部分を後側ファインダ開口部を通して撮影者が見るのを妨げること（ステップ）とを含んでいる。これにより、被写体に対してカメラが不適切に傾いているときにはこれを撮影者に警告する。
【０００８】
【発明の実施の形態】
図１〜図３は、後側及び前側のファインダ開口部１６、１８を備えた一対の不透明な黒い後側及び前側のカバー部材１２、１４を有する使い捨てカメラ１０（ｏｎｅ−ｔｉｍｅ−ｕｓｅ　ｃａｍｅｒａ）を示している。後側及び前側のファインダ開口部１６、１８は、両開口部を通して撮影者の目２０で被写体を見ることができるように光学的に配列されている。後側及び前側の開口部１６、１８は矩形であり、同一のアスペクト比を有している（カメラ１０中の露光されるフィルムの各フレームのアスペクト比と同様であるのが好ましい）。
【０００９】
図２に示すように、前側のカバー部材１４には、４つの狭い開口部２２、２４、２６、２８が設けられ、光がこれらの狭い開口部を通過できるようになっている。４つの狭い開口部２２、２４、２６、２８は、矩形のパターンを形成するように、前側のファインダ開口部１８に近接してこれを囲んでいる。狭い開口部２２、２４、２６、２８の各々は、色付き（例えば、赤色又はオレンジ色）の半透明要素ないし半透明部材３０（ｔｒａｎｓｌｕｃｅｎｔ　ｅｌｅｍｅｎｔ）が支持されている。図３に示す実施の形態においては、半透明要素３０は、狭い開口部２２、２４、２６、２８の各々に個別の部材として支持されている。図４に示すもう１つの実施の形態においては、半透明要素３０は、狭い開口部２２、２４、２６、２８のそれぞれを横切る（ａｃｒｏｓｓ）単一のシートとして支持されている。ここで、「半透明」との語句は、光を透過させることが可能な既知の一般的な手段を意味し、光を透過させてその向こうの対象物を明瞭に見ることができる透明材料と、光を透過させるとともに拡散させ、その向こうの対象物を明瞭には見ることができない非透明な材料の両方を含んでいる。
【００１０】
図３及び図４に示すように、後側ファインダ開口部１６と４つの狭い開口部２２、２４、２６、２８との間には既知のタイプの不透明な黒い光バッフル３２が配置されている。このバッフル３２は、後側及び前側のファインダ開口部１６、１８の間で、４つの狭い開口部２２、２４、２６、２８（狭い開口部における半透明要素３０の各部を含む）の向こう側に光が散乱（ｓｃａｔｔｅｒ）するのを制限しないしは閉じ込める（ｃｏｎｆｉｎｅ）。
【００１１】
図３及び図４から明らかなとおり、後側ファインダ開口部１６は前側ファインダ開口部１８より十分に小さい寸法とされ、これにより、撮影者の目２０が後側のファインダ開口部１６に接近ないしは近接したときに、後側ファインダ開口部１６から見たときの被写体３６の画角（ａｎｇｌｅ　ｏｆ　ｖｉｅｗ）が許容画角３８（全部可能（ｔｏｔａｌ　ｐｏｓｓｉｂｌｅ））より小さくなる。許容画角３８（ｐｅｒｍｉｓｓｉｂｌｅ　ａｎｇｌｅ　ｏｆ　ｖｉｅｗ）は、４つの狭い開口部２２、２４、２６、２８（狭い開口部における半透明要素３０の各部を含む）をフレーム構成する（ｆｒａｍｅ）。図５に示すように、半透明要素３０が前側ファインダ開口部１８を囲んでいるので、破断された（被連続な）矩形の光輪３４が、後側ファインダ開口部１６を通して見ることができる前側ファインダ開口部１８のまわりに存在することを可能にする。後側ファインダ開口部１６は前側ファインダ開口部１８より十分に小さい寸法とされ、これにより、カメラ１０が傾いているかどうかに応じて（図６中では左、図７中では右、図８中では下、図９中では上に傾いている）、光輪３４の種々の部分を後側ファインダ開口部１６を通して撮影者が見るのを妨げる。かくして、被写体に対してカメラ１０が不適切に傾いているときには警告がなされる。
【００１２】
（本発明のその他の態様）
あるファインダにおいては、後側開口部と半透明要素との間にバッフルないしは邪魔板（ｂａｆｆｌｅ）が配置され、前側開口部と後側開口部との間で、光が半透明要素の向こうに散乱するのを制限するようになっている。
あるファインダにおいては、前側開口部及び後側開口部は、それぞれ矩形である。
あるファインダにおいては、半透明要素は色付きである。
あるファインダにおいては、前側及び後側の開口部は、それぞれ、カメラの前側及び後側のカバー部材に設けられている。
あるファインダにおいては、半透明要素は、前側開口部を囲んでいる一連の狭い開口部に配置されている。
あるファインダにおいては、狭い開口部が矩形のパターンで配置されている。あるファインダにおいては、前側及び後側の開口部は、それぞれ、カメラの前側及び後側のカバー部材に設けられ、かつ、半透明要素は、前側開口部を囲んでいる、前側カバー部材内の一連の狭い開口部に配置されている。
あるファインダにおいては、前側及び後側の開口部は、それぞれ、カメラの前側及び後側のカバー部材に設けられ、かつ、半透明要素が、前側開口部を囲む前側カバー部材中の一連の開口部を横切って伸びる前側カバー部材に配置されている。
【図面の簡単な説明】
【図１】写真撮影される被写体に対してカメラが不適切に傾いているときにこれを写真撮影者に知らせるファインダを備えているカメラの後面立面図である。
【図２】ファインダの前側の開口部を見せるためにカメラの後側のカバー部材を部分的に取り除いた状態を示す図１と同様の後面立面図である。
【図３】ファインダの１つの実施の形態の模式的な断面図である。
【図４】ファインダのもう１つの実施の形態を示す図３と同様の模式的な断面図である。
【図５】ファインダのもう１つの実施の形態の後面立面図であって、カメラが被写体に対して適切に配置されたときのファインダを通しての情景を示している。
【図６】被写体に対してカメラが不適切に左に傾いているときのビューファインダを通しての情景を示す、図５と同様の後面立面図である。
【図７】被写体に対してカメラが不適切に右に傾いているときのビューファインダを通しての景色を示す、図５と同様の後面立面図である。
【図８】被写体に対してカメラが不適切に下に傾いているときのビューファインダを通しての景色を示す、図５と同様の後面立面図である。
【図９】被写体に対してカメラが不適切に上に傾いているときのビューファインダを通しての景色を示す、図５と同様の後面立面図である。
【符号の説明】
１０　カメラ、　１２　後側カバー部材、　１４　前側カバー部材、　１６　後側ファインダ開口部、　１８　前側ファインダ開口部、　２０　撮影者の目、２２　狭い開口部、　２４　狭い開口部、　２６　狭い開口部、　２８　狭い開口部、　３０　半透明要素、　３２　バッフル、　３４　光輪、　３６　画角、　３８　許容（全部可能）画角。
【図１】
2004021266.tif 000003
【図２】
2004021266.tif 000004
【図３】
2004021266.tif 000005
【図４】
2004021266.tif 000006
【図５】
2004021266.tif 000007
【図６】
2004021266.tif 000008
【図７】
2004021266.tif 000009
【図８】
2004021266.tif 000010
【図９】
2004021266.tif 000011